(57)【要約】【課題】浮き構造の羽根板によって羽根アームを水面から離間させた水没状態で浮上支持し、各羽根板を回転体側を支点に波に追随し単独的に上下作動させることを可能とし、各羽根板を適正な掻き回し姿勢に維持して効率のよい掻き回し作業を行うことができる浮遊型浄水機を提供する。【解決手段】複数の羽根板３を回転駆動部２の回転体１０に放射方向に設けて浮遊状態で支持し、羽根板３を回転駆動部２を中心に回転させて水の循環流を生じさせ水中の浄化を行うものにおいて、前記羽根板３を回転体１０に対し上下動可能に支持すると共に、羽根板３を水面に水没した掻き回し姿勢で浮かばせる浮き構造にした。【選択図】  図５
2006035021.tif 000002
【特許請求の範囲】
【請求項１】
複数の羽根板（３）を回転駆動部（２）の回転体（１０）に放射方向に設けて浮遊状態で支持し、羽根板（３）を回転駆動部（２）を中心に回転させて水の循環流を生じさせ水中の浄化を行うものにおいて、前記羽根板（３）を回転体（１０）に対し上下動可能に支持すると共に、羽根板（３）を水面に水没した掻き回し姿勢で浮かばせる浮き構造にしたことを特徴とする浮遊型浄水機。
【請求項２】
回転体（１０）に揺動回動可能に支持される羽根アーム（２２）の先端部に、ボルト等の取付具（２３）によって取付けられる羽根壁板（２５），（２５）と、該羽根壁板（２５），（２５）の間で支持される板状のフロート部材（２６）によって浮き構造の羽根板（３）を構成する請求項１の浮遊型浄水機。
【請求項３】
回転体（１０）の回転駆動部（２）を収容支持する固定ケース（１５）と、水底の地盤に固定されるアンカー（２０）とを、上下端に係合部（１７）を有する棒状の連結杆（１９）によって連結する請求項１又は２の浮遊型浄水機。
【請求項４】
浄水機（１）に藻類又は餌又はミネラル等の資材を水中に供給する資材供給部（７）を設け、該資材供給部（７）から資材を水中に供給し循環流に乗せて拡散させる構成とした請求項１又は２又は３の浮遊型浄水機。
【発明の詳細な説明】
【技術分野】
【０００１】
本発明は、湖沼等に浮遊状態で係留し羽根板によって水面を掻き回すことにより、水底から水面に流れる循環流を起こして浄水をする浮遊型浄水機に関するものである。
【背景技術】
【０００２】
従来、池やダム，湖沼，入り海等に浮遊状態で設置される浮遊型浄水機は特許文献１に示されるように既に公知である。この浄水機は回転駆動部から放射方向に延設される複数の羽根板を回転させ水面を掻き回すことにより、水面に広がる水流を起こして多量の水を水底から水面に導き、水底を這うように流れる循環流を起こして浄水を行うものである。
【０００３】
上記浮遊型浄水機は、羽根板を回転駆動する回転駆動部をフロート台の浮き構造によって水面に浮遊状態で支持し、回転駆動部の駆動軸に取付固定される羽根アームに羽根板を一体的に設けた構成になっている。また回転駆動部はフロート台を介し水底の地盤に設置される複数のアンカーと、ワイヤーロープ又は鎖等の可撓性を有する係留部材で連結され係留状態で支持される。これにより回転駆動部は羽根板が水面を掻き回す反力に抗して回転不能に支持されると共に、水位の変化や波の動きに応じて上下動や揺動等の追随作動を行うことを可能にしている。
【特許文献１】特許第３３６００７５号公報
【発明の開示】
【発明が解決しようとする課題】
【０００４】
上記特許文献１で示される浮遊型浄水機は、フロート台の浮き構造によって羽根板を回転駆動する回転駆動部を水面に浮遊支持すると共に、可撓性を有する複数の係留部材によって水位や波に追随して作動できるように支持されるので、羽根板を水面に水没させた所定の掻き回し姿勢に維持した状態で回転することができる利点がある。然し、複数の羽根板のなかで特定の羽根板が波によって局部的に大きく浮き上げられるとき、駆動軸に固定状態で支持される羽根アームの他方に位置する羽根板が水中に深く没入した沈没姿勢にされる。
【０００５】
従って、上記沈没姿勢で回転される羽根板は、水中で大きな掻き回し抵抗を受けることになり、掻き回し回転を不調にし循環流の形成に乱れを生じ易くする。また前記対向する羽根板や羽根アームは駆動軸を支点とし上下方向に大きな曲モーメントを受けるので、羽根アームの補強構造を必要とし装置重量が大きくなる等の欠点がある。
【０００６】
さらに、強風や高波等によって大きな水位の変化を急激に受けたとき、係留部材は浮遊型浄水機の大きな下方移動に伴い弛みが増大し係留作用を失って前記掻き回し抵抗を規制支持しなくなる。これにより複数の係留部材は回転駆動部の下方で縒れて交差状に絡み合う事態を発生し、浮遊型浄水機を適正位置に係留することを不能にすると共に、絡み合った係留部材との接触により羽根板や回転駆動部を破損する等の問題がある。
【０００７】
そこで、特許文献１の図３で示されるような羽根板の回転駆動部を浮上支持する支点部を、アンカーから可撓性を有する１本の係留部材によって連結しようとすると、当該係留部材は回転駆動部の回転反力によって捩じられ、係留長さが短くなって羽根アーム及び回転駆動部を水中に順次沈没させてしまう欠点を伴う。
【０００８】
このため浮遊型浄水機は異方向に配置された可撓性を有する複数の係留部材によってアンカー支持されるから、煩雑な浮遊設置工事を要すると共に、係留部材及び係留工事がコスト高になる等の問題もある。
【課題を解決するための手段】
【０００９】
上記課題を解決するための浮遊型浄水機は、第１に、複数の羽根板３を回転駆動部２の回転体１０に放射方向に設けて浮遊状態で支持し、羽根板３を回転駆動部２を中心に回転させて水の循環流を生じさせ水中の浄化を行うものにおいて、前記羽根板３を回転体１０に対し上下動可能に支持すると共に、羽根板３を水面に水没した掻き回し姿勢で浮かばせる浮き構造にしたことを特徴としている。
【００１０】
第２に、回転体１０に揺動回動可能に支持される羽根アーム２２の先端部に、ボルト等の取付具２３によって取付けられる羽根壁板２５，２５と、該羽根壁板２５，２５の間で支持される板状のフロート部材２６によって浮き構造の羽根板３を構成することを特徴としている。
【００１１】
第３に、回転体１０の回転駆動部２を収容支持する固定ケース１５と、水底の地盤に固定されるアンカー２０とを、上下端に係合部１７を有する棒状の連結杆１９によって連結することを特徴としている。
【００１２】
第４に、浄水機１に藻類又は餌又はミネラル等の資材を水中に供給する資材供給部７を設け、該資材供給部７から資材を水中に供給し循環流に乗せて拡散させる構成としたことを特徴としている。
【発明の効果】
【００１３】
上記のように構成される本発明の浮遊型浄水機は、水面に掻き回し姿勢で浮かぶ浮き構造の羽根板を回転体側を支点に波に追随し単独的に上下作動させるので、他方の羽根板を水面から深く沈没させることを防止することができる。また各羽根板は適正な掻き回し姿勢を維持し効率のよい掻き回し作業を行うことができる。
【００１４】
板状のフロート部材を羽根壁板と羽根壁板の間に支持することにより、羽根アームの先端部に強度を有する浮き構造の羽根板を簡潔な構成によって製作することができる。また板部材で形成される羽根板は、羽根長さ方向の延長や切断が容易で浮力調節を簡単に行うことができる。
【００１５】
回転駆動部の固定ケースと水底の地盤に固定されるアンカーを、棒状の連結杆の上下端に継ぎ手部になる係合部によって連結することにより、羽根板の回転反力に抗し固定ケースを回転不能に支持することができる。また浄水機は１本の連結杆による係留が可能になるので、浮遊設置工事等を簡単且つ廉価に行うことができる。
【００１６】
また浄水機に藻類又は餌又はミネラル等の資材を水中に供給可能とする資材供給部を設けることにより、資材供給部から資材を水中に供給し循環流に乗せて広く拡散させることができ、資材が有する機能を簡単に促進することができる。
【発明を実施するための最良の形態】
【００１７】
本発明の一実施形態を図面に基づいて説明する。図面において符号１は本発明に係わる浮遊型浄水機( 以下単に浄水機と言う) である。この浄水機１は従来のものと同様に広い池やダム，湖沼，入り海等に浮遊状態で設置され、回転駆動部２から放射方向に延設される複数の羽根板３によって水面を掻き回すことができる。この浄水機１は僅かなエネルギーで水面に広がる水流を起こし多量の水を水底から水面に導き、水底を這うように流れる循環流を発生させることにより水中環境を改善し浄水を行うことができる。
【００１８】
図１で示される本発明の第１実施形態に係わる浄水機１は、浮き構造からなる回転駆動部２の底側中心部を、水底の地盤から後述するアンカー構造４によって係留支持し、浮き構造の羽根板３を回転させることにより、係留部位を略中心とした循環流を起こすことができる。
【００１９】
そして図示例の浄水機１は、藻類を育成して供給する育成装置５及びミネラルを収容し供給する資材供給装置６等からなる資材供給部７を陸上に備え、該資材供給部７に対し水底を這うように敷設される導管８によって接続し、資材供給部７の供給制御動作によって搬送される藻類及び餌やミネラル類等を循環流中に供給することができる。
【００２０】
浄水機１の各部の構成について説明する。浄水機１の回転駆動部２は、複数の羽根板３を揺動支持構造９によって放射方向に延長して設けるドラム状の回転体１０と、該回転体１０の中心部を駆動軸１１に着脱可能に取付支持して回転される駆動モータ１２と、該駆動モータ１２を中心部に収容固定し、且つ発泡プラスチック材からなるフロート部材１３を内周に沿って充填収容する固定ケース１５等から構成される。
【００２１】
これにより固定ケース１５は、フロート部材２６の上方を回転体１０によって覆ったフロート構造の浮き子を構成し、底面の中心部に突設される係留環１６にアンカー構造４の係合部１７を融通作動可能に連結し、水面に浮上状態で係留される。
アンカー構造４は、棒状の連結杆１９の上下端に反円弧状の係合部１７，１７を設け、下部の係合部１７は水底の地盤に固定されるアンカー２０から突設した反円弧状の係留環２１に、融通作動可能に連結することができる。
【００２２】
この構成により固定ケース１５とアンカー２０は、棒状の連結杆１９の上下端で自在継ぎ手を構成する係合部１７と係留環１６によって連結されるので、通常水位の水面を基準に浄水機１を浮遊させるに当たり、連結杆１９を予め傾斜する姿勢となす長さとなして連結する。これにより各羽根板３は水面に各羽根アーム２２を水面から離間して水没する状態の掻き回し姿勢を維持し駆動モータ１２によって回転される。
【００２３】
羽根板３が回転すると固定ケース１５は、羽根板３の回転反力によって連結杆１９に捩じり負荷を掛けるが、この負荷に対し連結杆１９は、浄水機１を自在継ぎ手部を介し傾き等の姿勢を変更可能に融通支持し且つ捩じり回転不能に支持する。従って、連結杆１９は回転負荷によって連結距離を短くしないので、１本の係留部材による係留を可能にする。
【００２４】
また水位の変化や波，うねりによって浄水機１が大きく浮遊昇降するとき、連結杆１９は起立及び傾倒方向に揺動し追随するので、浄水機１は上昇及び下降を妨げられることなくスムーズな掻き回し姿勢を維持して水面に浮遊追随し、循環流の形成をスムーズに継続することができる。
【００２５】
さらに浄水機１は１本の連結杆１９による係留を可能にすることができるので、従来のもののように可撓性を有する複数の係留部材によって異方向からアンカー支持する必要がなく、浄水機１の浮遊設置工事等を簡単且つ廉価に行うことができる。尚、連結杆１９はスライド継ぎ手構造にすることができ、この場合には支持長さを自在に変更可能にすることができる。
【００２６】
次に回転体５に設置される羽根構造について説明する。図２〜図４に示されるように羽根板３は、角パイプ等の中空部材からなる羽根アーム２２の先端部にボルト等の取付具２３によって取着される羽根壁板２５，２５と、該羽根壁板２５，２５の間で支持される板状のフロート部材２６等から構成される。
【００２７】
上記羽根壁板２５，２５は、左右対称で断面視コ状の鉄板又はプラスチック板を突き合わせ、内部にフロート部材２６を挟持した状態で、取付具２３の固定具によって羽根アーム２２に取付固定される。このとき羽根壁板２５，２５の前後に形成される開口端は蓋板２５ａによって塞ぎ、羽根板３を密閉し内部のフロート部材２６を保護する。
【００２８】
以上のように構成される羽根構造は、羽根アーム２２の先端部に設置される羽根板３がフロート部材２６を内包し浮力を有するので、回転駆動部２側に設置するフロート部材１３の嵩張りを抑制し装置の小型化を図ることができる。
また板状に形成されるフロート部材２６と羽根壁板２５，２５は、羽根長さ方向に延長したり切断することが容易であり、羽根板３の長さを簡単に変更して製作することができる。
【００２９】
従って、羽根板３の掻き回し直径を異にした各種の浄水機１を製作するとき、羽根板３の長さ調節及び浮力調節も簡単に行うことができ、設置現場での組み立て作業も容易に行うことができる。
尚、羽根板３は羽根壁板２５を中空状の袋構造にしたものの中に、発泡プラスチック材を充填したり、発泡プラスチック材からなる板の表面に耐候性を有する硬質壁部材を貼着又はコーテングした羽根構造にすることもできる。
【００３０】
また図３で示すように羽根構造は、回転体５の上面に下向きコ字状に形成された取付ブラケット２７を設け、該取付ブラケット２７内に羽根アーム２２の基部を挿入した状態で、両者を横軸の支持ピン２９で連結する構成としている。このとき羽根アーム２２は、取付ブラケット２７によって左右方向のガタを規制し、支持ピン２９を支点に上下方向の揺動回動を自由にする。羽根アーム２２の揺動回動とその回動規制は、取付ブラケット２７の開口上端と回転体１０の隙間によって行われる。
【００３１】
以上のように構成される羽根板３は前記浮き構造によって、羽根アーム２２を水面から離間させる位置まで水没した状態で浮上させることができ、波の上下動に追随し支持ピン２９を支点に単独的に上下作動をすることができる。即ち、波によって任意の羽根板３が上動したとき、他方に位置する羽根板３を従来のもののように回転駆動部２側を支点に下方に連れ作動（シーソー動作）し、水中に完全に水没（沈没）させることを抑制することができる。
【００３２】
従って、羽根板３及び羽根アーム２２を水面から深く沈没させた状態での回転を防止し、浄水機１の省エネ運転を促進することができる。また浄水機１は回転駆動部２側の揺れを僅少にしながら、各羽根板３を適正に水没させた掻き回し姿勢（水没姿勢）に維持し、効率のよい掻き回し作業をスムーズに行う。
【００３３】
また浄水機１を設置現場の水中に設置する際に、回転駆動部２は各羽根板３を外した状態で連結杆１９によって係留支持することができ、また羽根板３は自身の浮力によって水面に浮ぶので、羽根アーム２２を位置決めし取付ブラケット２７内に挿入し易くすることができ、支持ピン２９を挿入し両者を連結することができる。従って、陸上で組み立てられた大型の浄水機１を水中に運搬設置するための大きな労力を要することなく、水中での組み立て及び分解作業を簡単且つ省力的に行うことができる。
【００３４】
次に前記資材供給部７について説明する。この浄水機１は図１で示すように、資材供給部７を最寄りの陸上に建築される建物３０内に設置している。この資材供給部７は前記藻類の育成装置５と、餌又はミネラル等の水中供給資材を収容する資材供給装置６と、藻類及び餌，ミネラル等を送り出すポンプ部３１と、これらを運転制御するコントロール部３２及び電源としてのバッテリー３３等から構成される。
【００３５】
同図の浄水機１はコントロール部３２によって、バッテリー３３の電力を前記導管８を介して回転駆動部２に供給し、駆動モータ１２を回転駆動し運転制御される。また建物３０の屋根に設置されるソーラーパネル型の太陽発電装置３５は発電した電力をバッテリー３３に充電する。尚、駆動モータ１２を駆動する電源は一般的な電力によっても駆動することができる。
【００３６】
育成装置５は屋根側に設置されるを集光装置３６を備え、タンク内に収容される藻類を太陽光によって光合成栽培する。この育成装置５は集光装置３６によって得た太陽光を間歇照射等の光量調節手段を備え、光量を変化させてタンク内に供給することにより藻類の成長を促すようにしている。
【００３７】
そして育成装置５は、ポンプ部３１によって水と共に藻類を送り出し、導管８を介し浄水機１に供給して水中に放出する。この藻類の放出手段は図３，図４に示すように、導管８に通じ回転体５の中心部から延設される放出管３７を、取付ブラケット２７及び羽根アーム２２内を通し、その放出端を羽根アーム２２の中途部又は羽根板３に設けている。
【００３８】
この構成により放出管３７の露出を抑制し、水面に浮遊する藻類やゴミ等の浮遊物との接触を防止し保護することができる。
また羽根アーム２２内を通した放出管３７は羽根板３の回転方向の裏側で水中に放出端を臨ませると、水流による負圧により藻類及び各資材を吸い出すようにして放出することができる。尚、各資材は上記水中供給手段の他に、連結杆１９に沿わせた導管８の中途部、或いは回転駆動部２側の適所から藻類を放出することもできる。
【００３９】
上記構成により羽根アーム２２の延長部から羽根板３の近傍の水中に放出される藻類は、羽根板３の回転によって形成される循環流に速やかに乗り、水中及び水底に広く拡散することができる。これにより藻類は水中での繁殖が促進され、これを餌としたり住処とする微生物や魚貝等の水中生物の成長を促すことができる。
【００４０】
育成装置５に用いられる藻類を水中に供給する供給態様は、タンク内で培養した微細な藻類をそのまま供給するか、該藻類を液体に混合させた状態で供給したり、或いは藻類をセラミック等の担体に担持させて供給することができる。
【００４１】
この浄水機１で採用される藻類は、赤潮や水の華の原因になるアオコ等を避け、自然環境の恒常性に寄与したり水中生物の体内に入って有効に作用する微細藻類として、例えば植物プランクトンの優占種である珪藻等の有用藻類を、培養しながら水中に適量づつ供給する。この珪藻は水中において食物連鎖を促し魚貝類の活性化や水の浄化作用を行うことが期待される。
【００４２】
次に資材供給装置６について説明する。この資材供給装置６は、タンク内に収容される餌又はミネラル等の資材を水と共にポンプ部３１によって送り出し、導管８を介し浄水機１に搬送し、前記藻類と同様な放出手段によって放出管３７から水中に放出する。
上記資材の水中供給手段は、藻類を供給するポンプ部３１と導管８を利用し、藻類と同時に供給したり単独的に供給することができる。これにより各資材は前記藻類と同様に循環流に乗って広く分散するように水中に供給される。
【００４３】
尚、餌は一般的な給餌繰り出し手段によって適時適量に水中に供給され、魚貝類の餌となり成長を促進する。また資材供給装置６に用いられるミネラルは、水中生物の体内に入って有効に作用するもの、及び水中において触媒となり水浄化作用を行うミネラル分が選択される。そして、ミネラルを水中に供給する供給態様は、粉体状のミネラルをそのまま供給するか、該ミネラルを液体に混合させたり、或いはミネラルをセラミック等の担体に担持させて供給することができる。
【００４４】
次に図５，図６を参照し、資材供給部７を本体側に設けた別実施形態に係わる浄水機１について説明する。尚、上記実施形態のものと同様な構成については説明を省略する。先ず図５で示す浄水機１は、駆動モータ１２の駆動軸１１に支持した回転体１０側に、育成装置５と資材供給装置６等からなる資材供給部７を設け、該資材供給部７の制御動作によって藻類と資材を、前記循環流中に適時適量に供給することができる。
【００４５】
即ち、この浄水機１は羽根アーム基部の上方に位置し駆動軸１１に支持される上部回転体１０ａに、太陽発電装置３５を屋根構造を以て設置し、両者によって形成される空間部内で中心部に資材供給装置６を設けている。また資材供給装置６の周囲に藻類及びミネラルを送り出すポンプ部３１と、これらのコントロール部３２とバッテリー３３を配置している。３４はコントロール部３２が備えるアンテナであり、例えば陸上から携帯電話等で発信される制御信号を受けることができ、また必要により浄水機１の状況等も発信することができる。
【００４６】
また羽根板３を揺動支持構造９を介して支持する下部の回転体１０は、内部に育成装置５のタンクを収容し、該タンク内に太陽発電装置３５の上部に設置される集光装置３６によって得た太陽光を供給し、藻類を育成する構成となっている。
以上のように構成される浄水機１は、コントロール部３２の指令によってポンプ部３１を作動し、前記実施形態のものと同様に藻類並びにミネラルを水中に放出し循環流に乗せることができる。
【００４７】
次に図６で示す浄水機１について説明する。この浄水機１は前記特許文献１の第２図で示されるものと同様に、羽根板３を回転駆動する駆動モータ１２を、フロート５０を支脚５１に備えたフロート台５２の中心部に設けた方式にしている。また駆動モータ１２から下向きに突出される駆動軸１１に円盤状の回転体１０を取付固定し、該回転体１０に前記揺動支持構造９を設け羽根板３を有する各羽根アーム２２を揺動回動可能に取付支持している。
【００４８】
そして、回転駆動部２の近傍に前記実施形態のものと同様の資材供給部７をコンパクトに纏めて設置し、ドーム状の屋根形状で形成される太陽発電装置３５によって、資材供給部７及び回転駆動部２を覆った構成としている。尚、資材供給装置６は餌を供給するものとミネラルを供給するものとを、それぞれ個別に設けることもできる。
【００４９】
図示例の浄水機１は、複数の支脚５１を立設するリング状のプレートからなる連結枠５１ａに、発泡プラスチック材等のブロック体で形成される複数のフロート５０を略等間隔に設け水面に浮遊支持される。
【００５０】
そして、連結枠５１ａの直径を１３メートル程度にする場合に、羽根板３による回転軌跡の外側直径は１０メートル程度に設定されることが望ましい。また浄水機１はフロート台５２を、ワイヤーロープ又は鎖等の可撓性を有する係留部材によって水底の地盤に設置される複数のアンカーに連結することにより、羽根板３が水面を掻き回す反力に抗して回転不能に係留支持され、且つ水位の変化や波に対し上下動や揺動等の追随作動を行うことができる。
【００５１】
フロート台５２の太陽発電装置３５の基部外周には、手摺りを兼ねるガード５３を備えた通路５５が形成されると共に、連結枠５１ａの上面も通路として構成される。この通路５５等は資材供給部７及び回転駆動部２並びに羽根板３等のメンテナンス作業を行う際に利用できる他、浄水機１を利用した釣り場を提供することができる。
【００５２】
以上のように複数のフロート５０によって浮上支持されるフロート台５２に設置される資材供給部７は、図示しない放出管３７を羽根板３の掻き回し軌跡の任意位置において上方に臨ませて設けることができ、放出した藻類並びに餌，ミネラルを循環流に確実に乗せることができる。また上記放出管３７はフロート台５２側に簡単に取付支持することができる等の利点がある。
【図面の簡単な説明】
【００５３】
【図１】本発明に係わる浄水機の全体構成と使用状態を示す側面図である。
【図２】図１の浄水機の要部の構成を一部分解して示す斜視図である。
【図３】図２の揺動支持機構の構造を示す側断面図である。
【図４】羽根板及び揺動支持機構の構造を示す分解斜視図である。
【図５】本発明の別実施形態に係わる浄水機の全体構成と使用状態を示す側面図である。
【図６】本発明のさらに別実施形態に係わる浄水機の全体構成と使用状態を示す側面図である。
【符号の説明】
【００５４】
１    浮遊型浄水機（浄水機）
２    回転駆動部
３    羽根板
４    アンカー構造
５    育成装置
６    資材供給装置
７    資材供給部
８    導管
９    揺動支持構造
１０  回転体
１１  駆動軸
１２  駆動モータ
１５  固定ケース
１６  係留環
１７  係合部
２０  アンカー
２２  羽根アーム
２３  取付具
２５  羽根壁板
２６  フロート部材
【図１】
2006035021.tif 000003
【図２】
2006035021.tif 000004
【図３】
2006035021.tif 000005
【図４】
2006035021.tif 000006
【図５】
2006035021.tif 000007
【図６】
2006035021.tif 000008